【事件の表示】
　特許第２８８２１８９号「光情報記録再生装置」の請求項１ないし３に係る特許に対する特許異議の申立てについて、次のとおり決定する。
【結　論】
　特許第２８８２１８９号の請求項１ないし３に係る特許を取り消す。
【理　由】
１．手続の経緯
　特許第２８８２１８９号の請求項１ないし３に係る発明は、平成４年７月１４日（優先権主張、平成３年７月１５日）に特許出願されたものであって、平成１１年２月５日にその特許の設定登録がなされ、その後、その特許について異議申立人村戸良至より特許異議の申立てがなされ、取消理由通知がなされ、その指定期間内である平成１２年５月９日に訂正請求がなされた後、訂正拒絶理由通知がなされたが、訂正請求書に対する補正は行われなかったものである。
　
２．訂正の適否についての判断
　特許権者が求めている訂正の内容は、以下のａ〜ｅのとおりである。
（ａ）訂正事項１
　平成１０年８月１９日付け本件請求人提出に係る手続補正書により補正された特許請求の範囲の請求項１乃至３に係る記載
「【請求項１】　記録媒体よりデータの読み出し時に、複数個の設定可能なパラメータをもって回路の状態設定を予め設定した回数以内に順次複数の相異なる状態に変えることが可能な再生信号処理回路を有し、前記複数個のパラメータの設定の組合せを変更することにより前記再生処理回路の設定を変えて前記データの読み出しを行うことを特徴とする光情報記録再生装置。
　【請求項２】　前記設定可能なパラメータが、前記装置における、プリアンプの増幅率、２値化信号までの処理回路に挿入された周波数特性補正用フィルターの周波数特性、アナログ信号を２値化するためのコンパレータのコンパレートレベル、記録信号の有無検出を行なうエンべロープ検出用コンパレータのバイアスであるコンパレートレベル、同期信号を含む情報信号読み出しの為のＰＬＬ回路のデータ抜き出しタイミングのうちの何れか二つ以上を揃えることを特徴とする請求項１記載の光情報記録再生装置。
　【請求項３】　記録媒体よりデータの読み出し中、または読み出し後にエラーを検出する手段を有し、前記検出手段によりデータエラーを検出した場合、前記再生信号処理回路の前記設定可能なパラメータの設定を変えてデータの再読み出しを前記予め設定した回数以内順次行なうことを特徴とする請求項１または２何れかに記載の光情報記録再生装置。」を、
「【請求項１】　記録媒体よりデータの読み出し時に、複数個の設定可能なパラメータをもって回路の状態設定を予め設定した回数以内に順次複数の相異なる状態に変えることが可能な再生信号処理回路を有し、前記記録媒体に記録された前記複数個のパラメータの設定の組み合わせと装置のＩＤデータとを読み、前記装置のＩＤデータを併用して前記複数個のパラメータの設定の組合せを変更することにより前記再生処理回路の設定を変えて前記データの読み出しを行うことを特徴とする光情報記録再生装置。
　【請求項２】　装置のＩＤデータは、装置そのものの有する個別識別情報であることを特徴とする請求項１記載の光情報記録再生装置。
　【請求項３】　装置のＩＤデータは、装置のモデルチェンジのレベルを表す群識別情報であることを特徴とする請求項１記載の光情報記録再生装置。」
と訂正する。
（ｂ）訂正事項２
　　段落番号【００１９】の
「【００１９】　この目的を達成する為に本発明の光情報再生装置は、再生信号処理回路に予め設定した回数以内に順次複数の相異なる状態に可変できる複数個のパラメータをもち、データエラーの検出手段であるマイクロプロセッサがアナログスイッチやＤ／Ａコンバータの出力を介してそのパラメータを設定できる構成をとる。またデータ読み出し時の処理はデータエラーを検出した場合、再読み出しを行う前に組合せとしてのパラメータの再設定を行う処理を従来の方式に新たに加えデータの再読み出しを行うものである。」を、
「【００１９】　【課題を解決するための手段】　この目的を達成する為に本発明の光情報再生装置は、再生信号処理回路に予め設定した回数以内に順次複数の相異なる状態に可変できる複数個のパラメータをもち、データエラーの検出手段であるマイクロプロセッサがアナログスイッチやＤ／Ａコンバータの出力を介してそのパラメータの組み合わせを、装置のＩＤデ一タを併用しながら設定できる構成をとる。またデータ読み出し時の処理はデータエラーを検出した場合、再読み出しを行う前に組合せとしてのパラメータの再設定を行う処理を従来の方式に新たに加えデータの再読み出しを行うものである。」と訂正する。
（ｃ）訂正事項３
　段落番号【００２１】の
「【００２１】　【作用】　上記構成にすることで、特定成分の消し残し信号を検出する事によるエラーの発生が最小限になる条件を再読み出し時に設定することにより、書き込みデータの再生時における信頼性を高めることが可能となる。」を、
「【００２１】　【作用】　上記構成にすることで、特定成分の消し残し信号を検出する事によるエラーの発生が最小限になる条件を、再読み出し時に、装置のＩＤデータを併用することでより正確、より迅速に設定することができ、書き込みデータの再生時における信頼性を高めることが可能となる。」と訂正する。
（ｄ）訂正事項４
　　段落番号【００３８】の
「【００３８】　【発明の効果】　以上のように本発明は、記録媒体よりデータの読み出し中または読み出し後にデータエラーを検出した場合に再生信号処理回路の設定可能な複数個のパラメータの設定を変えてデータの再読み出しを複数回行うことにより記録および再生データの信頼性を高めることができる。」を、
「【００３８】　【発明の効果】　以上のように本発明は、記録媒体よりデータの読み出し中または読み出し後にデータエラーを検出した場合に、読み出した装置のＩＤデータを併用しながら再生信号処理回路の設定可能な複数個のパラメータの設定を変えてデータの再読み出しを複数回行うことにより記録および再生データの信頼性を高めることができる。」と訂正する。
（ｅ）訂正事項５
　　段落番号【００３９】の
「【００３９】　また、それらの条件をディスクの特定の位置に記録し、次回再生するときはこの情報を基に、上記の読み出し処理を実施することによって、ディスクに関係するパラメータの中心値を即座に決定できるため、信頼性の高いデータ読み出し条件を早く決定することが出来るものである。」を、
「【００３９】　また、それらの条件を装置のＩＤデータと共にディスクの特定の位置に記録し、次回再生するときはこの情報を基に、上記の読み出し処理を実施することによって、ディスクに関係するパラメータの中心値を即座に決定できるため、信頼性の高いデータ読み出し条件を早く決定することが出来るものである。」と訂正する。
（３）訂正の目的の適否、新規事項の有無及び拡張・変更の存否
　上記訂正事項１について判断する。
　特許権者は、平成１２年５月９日付け訂正請求書の、７（４）（イ）上記訂正事項１について、において
「（イ）上記訂正事項１について
　訂正事項１について、特許明細書の特許請求の範囲に記載された「前記複数個のパラメータの設定の組合せを変更する」事に際し、「前記記録媒体に記録された前記複数個のパラメータの設定の組み合わせと装置のＩＤデータとを読み、前記装置のＩＤデータを併用」することに限定したものである。
　この訂正請求の根拠は、段落番号【００３４】によるものであり、複数個のパラメータの設定の変更に際し、装置のＩＤデータを併用するもので、それにより、より正確、かつ迅速な読み出し条件の決定をすることができるという効果を奏するものである。
　従って、この訂正は特許法第１２０条の４第２項但し書き第１号に規定する「特許請求の範囲の減縦」に相当するものである。
　また、上記訂正事項１は、願書に最初に添付した明細書又は図面に記載した事項の範囲内であって、実質上特許請求の範囲を拡張し又は変更するものでもない。・・・（以下略）」
旨の訂正請求の理由を述べている。
　そこで、上記訂正事項について検討する。
（１）請求項１の訂正について
　請求項１に係る訂正は、「前記複数個のパラメータの設定の組合せを変更」することを、「
前記記録媒体に記録された前記複数個のパラメータの設定の組み合わせと装置のＩＤデータとを読み、前記装置のＩＤデータを併用して
　この記録媒体に係る訂正事項は、段落番号【００３４】によるものではあるが、記録媒体からデータを読み出すという処理に、記録媒体から「複数個のパラメータの設定の組み合わせと装置のＩＤデータ」を読み出すという新たな処理を付加するものである。
　そして、この訂正は、言い換えれば、「複数個のパラメータの設定の組み合わせと装置のＩＤデータ」が記録された特定の「記録媒体」をその構成要件とすることになったが、訂正前の請求項１における「記録媒体」が、「記録媒体よりデータの読み出し時に、・・・」とのみ記載されており、光情報記録再生装置に「データ」のみを供給する一般的な記録媒体にすぎなかった。
　さらに、訂正前の請求項１にはない「装置のＩＤデータ」を構成要素としているが、この「装置のＩＤデータ」は、訂正前の請求項１が包含していた構成要素と見ることのできない、新たな構成要素であると認められる。
　以上のとおり、訂正後の請求項１に係る発明は、訂正前の請求項１に係る発明に比して、処理の面から見れば、新たな処理を付加するものであり、記録媒体としては、一般的な記録媒体から特定の記録媒体を必須とするものとなり、さらに「装置のＩＤデータ」という新たな概念の構成要素を追加するものであると言える。
　してみれば、訂正後の請求項１に係る発明は、訂正前の請求項１に係る発明と別発明と言うべきものであり、発明の同一性を有していないものと認められる。
　したがって、この訂正は、実質上特許請求の範囲を変更するものである。
（２）請求項２の訂正について
　請求項２に係る発明は、請求項１に記載された構成をその主要部としており、上記（１）で判断したように請求項１に対する訂正が、特許請求の範囲を変更するものであるから、訂正後の請求項２に係る発明も実質的に特許請求の範囲を変更しているものである。
　さらに、訂正後の請求項２においては、訂正前の「前記設定可能なパラメータが、前記装置における、プリアンプの増幅率、２値化信号までの処理回路に挿入された周波数特性補正用フィルターの周波数特性、アナログ信号を２値化するためのコンパレータのコンパレートレベル、記録信号の有無検出を行なうエンベロープ検出用コンパレータのバイアスであるコンパレートレベル、同期信号を含む情報信号読み出しの為のＰＬＬ回路のデータ抜き出しタイミングのうちの何れか二つ以上を揃えること」という構成を削除し、新たに「
装置のＩＤデータは、装置そのものの有する個別識別情報であること
（３）請求項３の訂正について
　　請求項３に係る発明は、請求項１に記載された構成をその主要部としており、上記（１）で判断したように請求項１に対する訂正が、特許請求の範囲を変更するものであるから、訂正後の請求項３に係る発明も実質的に特許請求の範囲を変更しているものである。
　さらに、訂正後の請求項３においては、訂正前の「記録媒体よりデータの読み出し中、または読み出し後にエラーを検出する手段を有し、前記検出手段によりデータエラーを検出した場合、前記再生信号処理回路の前記設定可能なパラメータの設定を変えてデータの再読み出しを前記予め設定した回数以内順次行なうこと」という構成を削除し、新たに「
装置のＩＤデータは、装置のモデルチェンジのレベルを表す群識別情報であること
　
　以上のとおりであるから、本件訂正請求は、特許法第１２０条の４第３項で準用する同法第１２６条第３項の規定に適合しないので、当該訂正は認められない。
　
（なお、当審は、平成１２年５月２５日付け訂正拒絶理由通知において上記と同じ旨の指摘を行ったが、これに対し特許権者は、平成１２年８月４日付け意見書において該指摘に対する反論をしておらず、手続補正書も提出されなかった。）
　
３．特許異議申立てについての判断
（１）本件発明
　特許第２８８２１８９号の請求項１ないし３に係る発明（以下「本件発明１」ないし「本件発明３」という。）は、その特許請求の範囲の請求項１ないし３に記載された以下のとおりのものである。
「【請求項１】　記録媒体よりデータの読み出し時に、複数個の設定可能なパラメータをもって回路の状態設定を予め設定した回数以内に順次複数の相異なる状態に変えることが可能な再生信号処理回路を有し、前記複数個のパラメータの設定の組合せを変更することにより前記再生処理回路の設定を変えて前記データの読み出しを行うことを特徴とする光情報記録再生装置。
　【請求項２】　前記設定可能なパラメータが、前記装置における、プリアンプの増幅率、２値化信号までの処理回路に挿入された周波数特性補正用フィルターの周波数特性、アナログ信号を２値化するためのコンパレータのコンパレートレベル、記録信号の有無検出を行なうエンべロープ検出用コンパレータのバイアスであるコンパレートレベル、同期信号を含む情報信号読み出しの為のＰＬＬ回路のデータ抜き出しタイミングのうちの何れか二つ以上を揃えることを特徴とする請求項１記載の光情報記録再生装置。
　【請求項３】　記録媒体よりデータの読み出し中、または読み出し後にエラーを検出する手段を有し、前記検出手段によりデータエラーを検出した場合、前記再生信号処理回路の前記設定可能なパラメータの設定を変えてデータの再読み出しを前記予め設定した回数以内順次行なうことを特徴とする請求項１または２何れかに記載の光情報記録再生装置。」
　
（２）引用例の記載
　当審が通知した取消理由に引用した刊行物１、刊行物２には、以下の記載がある。
（ａ）刊行物１（特開昭６１−１４２５７４号公報）
　刊行物１には、「光ディスク処理装置」に関する発明について以下の記載がある。
・「（１）光ディスク装置からの読出し信号を復調する復調回路と、
　この復調回路の出力の符号誤りを検出する誤り検出手段と、
　上記復調回路の出力を上位装置に送出する回路と、
　上記上位装置の指令により光ディスク装置に読出し信号を出力し、かつ上記の復調回路、誤り検出回路および上位装置に送出する回路を制御する制御回路と
　を備えた光ディスク処理装置において、
　上記復調回路は異なる読出し特性に設定された複数個を設け、
　この複数個の復調回路のひとつを選択して利用する読出し特性選択回路を有し、
　上記制御回路は上記誤り検出回路に所定以上の誤りが検出されるときには上記読出し特性選択回路に別の復調回路の選択を指令する制御手段を含む
　ことを特徴とする光ディスク処理装置。」（特許請求の範囲第１項）
・「本発明は読出し特性が異なる複数の復調回路を設けておき、読出し誤りが検出されると、復調回路を変更することにより読出し特性を変更して、誤りがなくなるまでこれを行う。全ての復調回路で誤りが検出されたときにはじめて読出し誤りとする。
　読出し特性は、検出レベルのしきい値、波形整形のためのろ波回路時定数、検出タイミング信号の位相その他の特性の一つまたはその組合せである。」（公報第２頁上右欄第１６行〜下左欄第５行）
・「ここで本発明の特徴とするところは、複数個の復調回路７−１〜７−ｎを設けておき、これらのあらかじめ異なる読出し特性を設定しておくことにある。さらに上記複数個の復調回路を選択する読出し特性選択回路６とを有し、誤り検出訂正回路５の誤り訂正が正常に実行されなければ、制御回路９はゲート回路４から上位装置２へのデータの転送を禁止して、読出し特性選択回路６によって特性との異なる復調回路７−１より７−ｎをつぎつぎに選択して読出し特性を変え、上位誤り検出訂正回路５の誤り訂正を正常になるまでこの選択を行うよう制御する。」（公報第２頁下右欄第４行〜第１５行）
　
　以上の記載および各図面の記載を参照すると刊行物１には、以下の発明が記載されているものと認める。
　
　光ディスクよりデータの読み出し時に、複数個の設定された読出し特性（検出レベルのしきい値、波形整形のためのろ波回路時定数、検出タイミング信号の位相その他の特性）をもって回路の状態設定を相異なる状態にされた復調器を予め設定した個数設け、前記複数個の読出し特性の設定の組合わせを変更された復調器を順次切換接続することにより前記データの読み出しを行う光ディスク処理装置
　
（ｂ）刊行物２（特開平３−９１１３５号公報）
　刊行物２には、「光磁気ディスク再生装置および光磁気ディスク記録再生装置」に関する発明について以下の記載がある。
・「上記目的を達成するため、記録されている信号の再生時にエラーが発生した場合には、再生回路の特性を変えながら再試行を行ない、エラーが最も少なくなる最適な再生条件を求め、最適な条件で再生した情報を上位装置に送るようにする。最適な再生条件は、再生条件を変化させながら目的の情報に対するエラー情報を得、そのエラー情報からエラーが少なくなるように定める。エラー情報を得るために再生する情報は、光磁気ディスク再生装置においては、上位装置が要求している情報を用い、光磁気ディスク記録再生装置においては、上位装置が要求している情報か、あるいは光磁気ディスク記録再生装置が媒体のテスト領域に記録した情報を用いる。」（公報第３頁上右欄第２０行〜下左欄第１３行）
・「そこで、本実施例においては、信号処理回路１２、増幅器６ｃと組になっている可変増幅器７、および遅延回路８と組になっている可変遅延回路９ａを用いて、それぞれ信号振幅と遅延時間の制御を行なって、再生条件の制御をする。ここでの信号振幅および遅延時間の調整は、増幅器６ａと６ｂの出力信号間の相対的な振幅差および遅延時間差を制御すればよいので、本実施例では、増幅器６ｂの出力信号についてだけ調整を行なっている。」（公報第５頁上右欄第３行〜第１２行）
　
（３）対比、判断
（ａ）本件発明１について
　本件発明１と刊行物１記載の発明とを対比すると、刊行物１記載の発明の「光ディスク」、「読出し特性」、「復調器」、「光ディスク処理装置」は、本件発明１の「記録媒体」、「パラメータ」、「再生信号処理装置」、「光情報記録再生装置」に相当することは明らかであるから、本件発明と刊行物１記載の発明とは、
　
記録媒体よりデータの読み出し時に、複数個のパラメータをもって回路の状態設定を予め設定した回数以内に順次複数の相異なる状態に変えることを可能とし、前記複数個のパラメータの設定の組合せを変更することにより設定を変える再生信号処理を行い、前記データの読み出しを行うことを特徴とする光情報記録再生装置。
　
である点で一致し、
　再生信号処理を、本件発明１では、１つの再生信号処理装置により行い、設定可能なパラメータをもって順次複数の相異なる状態に変えて設定を変えるようにしているのに対し、刊行物１記載の発明では、複数の再生信号処理装置（復調器）により行い、設定パラメータの相異なる状態の各再生信号処理回路を順次切換接続することにより設定を変えるようにしている点で相違するものと認められる。
　
　しかしながら、刊行物２には、上記摘記したように、
　エラーのない再生条件を得るに当たり、１つの信号処理回路（可変増幅器、可変遅延回路）の設定可能なパラメータをもって該信号処理回路の状態設定を順次複数の相異なる状態に変えることが可能な信号処理回路技術が記載されている。
　そこで、この刊行物２の信号処理回路技術を刊行物１記載の再生信号処理に用いて、設定パラメータの相異なる状態の複数の再生信号処理回路を順次切換接続することにより設定を変えることに替えて、設定可能なパラメータをもって１つの再生信号処理装置を順次複数の相異なる状態に変えて設定を変えるようにすることは当業者が容易に想到し得ることであると認められる。
　
　したがって、本件発明１は、上記刊行物１及び刊行物２記載の発明に基いて当業者が容易に発明することができたものと認められ、特許法第２９条第２項の規定により特許を受けることができないものである。
　
（ｂ）本件発明２について
　本件発明２は、本件発明１をその主要部として引用し、本件発明１の「設定可能なパラメータ」を、
「前記装置における、プリアンプの増幅率、２値化信号までの処理回路に挿入された周波数特性補正用フィルターの周波数特性、アナログ信号を２値化するためのコンパレータのコンパレートレベル、記録信号の有無検出を行なうエンべロープ検出用コンパレータのバイアスであるコンパレートレベル、同期信号を含む情報信号読み出しの為のＰＬＬ回路のデータ抜き出しタイミングのうちの何れか二つ以上」としたものであると認められる。
　
　本件発明２と刊行物１記載の発明を対比する。
　まず、本件発明２のうち本件発明１を引用した部分の構成に関しての当審の判断は上記３．（３）（ａ）に同じである。
　そこで本件発明２の「設定可能なパラメータ」を上記のように「前記装置における、プリアンプの増幅率・・・・ＰＬＬ回路のデータ抜き出しタイミングのうちの何れか二つ以上」とする構成についての判断を行う。
　刊行物１記載の発明の、「読出し特性」即ちパラメータは、検出レベルのしきい値、波形整形のためのろ波回路時定数、検出タイミング信号の位相その他の特性の一つまたはその組合せである。
　ここで、本件発明２の設定可能なパラメータを、（１）プリアンプの増幅率、（２）２値化信号までの処理回路に挿入された周波数特性補正用フィルターの周波数特性、（３）アナログ信号を２値化するためのコンパレータのコンパレートレベル、（４）記録信号の有無検出を行なうエンベロープ検出用コンパレータのバイアスであるコンパレートレベル、（５）同期信号を含む情報信号読み出しの為のＰＬＬ回路のデータ抜き出しタイミングというように整理すれば、このうち、（２）、（３）、（５）に対応するものが刊行物１記載の発明に記載されており、それらを二つ以上を揃える旨が刊行物１に記載されているといえる。
　なお、設定可能なパラメータの種類は、エラーの発生を低下させる目的であれ当業者がば容易に想到できるものであり、選択可能な設計事項であると認められる。
　
　したがって、本件発明２は、上記刊行物１及び刊行物２記載の発明に基いて当業者が容易に発明することができたものと認められ、特許法第２９条第２項の規定により特許を受けることができないものである。
　
（ｃ）本件発明３について
　本件発明３は、本件発明１または本件発明２をその主要部として引用し、本件発明１または本件発明２に
「記録媒体よりデータの読み出し中、または読み出し後にエラーを検出する手段を有し、前記検出手段によりデータエラーを検出した場合、前記再生信号処理回路の前記設定可能なパラメータの設定を変えてデータの再読み出しを前記予め設定した回数以内順次行なう」構成を付加したものであると認められる。
　本件発明３と刊行物１記載の発明を対比する。
　まず、本件発明３のうち本件発明１または本件発明２を引用した部分の構成に関しての当審の判断は上記３．（３）（ａ）または上記３．（３）（ｂ）に同じである。
　そこで本件発明３の「記録媒体よりデータの読み出し中、または読み出し後にエラーを検出する手段を有し、前記検出手段によりデータエラーを検出した場合、前記再生信号処理回路の前記設定可能なパラメータの設定を変えてデータの再読み出しを前記予め設定した回数以内順次行なう」とする構成についての判断を行う。
　上記刊行物１には、上記摘記した記載から、
　データの誤り検出回路により符号誤りを検出した場合、復調器のパラメータの設定を変えてデータの再読出しを予め設定した回数以内（復調器の数の回数）順次行う
ことが記載されており、
符号誤りは本件発明３の「データエラー」に相当するものと認められ、復調器が本件発明３の「再生信号処理回路」に相当することは前記したとおりであり、刊行物１の誤り検出回路も本件発明３の「エラーを検出する回路」と同様に「記録媒体よりデータの読み出し中、または読み出し後にエラーを検出」しているものと認められるから、
　上記本件発明３の上記「記録媒体よりデータの読み出し中、または読み出し後にエラーを検出する手段を有し、前記検出手段によりデータエラーを検出した場合、前記再生信号処理回路の前記設定可能なパラメータの設定を変えてデータの再読み出しを前記予め設定した回数以内順次行なう」とする構成は、刊行物１に記載されているものと認められる。
　
　したがって、本件発明３は、上記刊行物１及び刊行物２記載の発明に基いて当業者が容易に発明することができたものと認められ、特許法第２９条第２項の規定により特許を受けることができないものである。
　
　なお、特許権者は、平成１２年８月４日付け意見書において、本件の請求項１に対する訂正案を記載しているが、該訂正案によれば、登録時の請求項１ないし３記載の事項を組合せ、かつ下記のようにパラメータの一設定を限定したものと認められる。
「上記記アナログ信号を２値化するためのコンパレートレベルは、信号をオーバーライトした時に発生し得る消し残り信号の波高値と前記オーバーライト後の信号の波高値の中間になるように設定され、かつ上記周波数特性補正用フィルターは、信号をオーバーライトした時に発生し得る消し残り信号の波高値を低減するように設定される」
　即ち、上記訂正案は、該アナログ信号を２値化するためのコンパレートレベル及び該周波数特性補正用フィルターの一設定が「消し残り信号の波高値」に応じて定められていることを記載したものと認められる。
　しかしながら、刊行物１記載の発明においても、読出し特性（訂正案の「パラメータ」に相当）に検出レベルのしきい値（訂正案の「アナログ信号を２値化するためのコンパレートレベル」に相当）、波形整形のためのろ波回路時定数（訂正案の「周波数特性補正用フィルター」に相当）があることが記載されている。そして、これらの読出し特性は、エラーを起こす信号のレベルに応じて設定されることは自明であるし、光ディスクとして普通に知られている書き換え型の光ディスクにおいて消し残り信号の存在により読出し信号にエラーが発生することは周知のことにすぎない。
　してみれば、上記一設定は、当業者が周知のエラーの種類に応じて適宜設計しうる程度のことにすぎないと認められる。
　以上のとおりであるから、請求項１ないし３を組み合わせた主構成は、上述の判断のように引用例１及び引用例２に記載された発明に基いて当業者が容易に発明できたものと認められ、上記一設定のように設定することは当業者が適宜行い得る設計的事項にすぎないと認められるところであり、該訂正案を採用することはできない。
　
（４）むすび
　以上のとおりであるから、相違点は、格別なものとは言えないので、本件の請求項１ないし３に係る発明は、上記刊行物１および刊行物２記載の発明に基いて当業者が容易に発明することができたものと認められるので、本件の請求項１ないし３に係る発明の特許は、特許法第２９条第２項の規定に違反してされたものである。
　したがって、本件の請求項１ないし３に係る発明の特許は、特許法第１１３条第２号に該当するので、取り消されるべきものである。
　
　よって、結論のとおり決定する。
【異議決定日】
平成１２年９月１２日（２０００．９．１２）